【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
水、コーングルテンミールおよび無機塩基を、（ｉ）約１０℃〜約１００℃で約２時間〜約４時間攪拌するか、または（ｉｉ）約１０℃〜約１００℃で約１０分間〜約８時間静置させることにより得られた混合物、
０％〜約１０ｗｔ％のアルコール、
約０．０５ｗｔ％〜約１５ｗｔ％の該無機塩基であって、水酸化ナトリウム、水酸化リチウムまたは水酸化カリウムである無機塩基、
０％〜約１０ｗｔ％の塩、
０％〜約１０ｗｔ％の酸、
０％〜約１０ｗｔ％の添加剤、および
約１０ｗｔ％〜約９５ｗｔ％の水
を含む水性組成物であって、
該水性組成物は、約１３のｐＨを有する、
該水性組成物は、コーングルテンミール中に存在するかまたはそれから誘導されるもの以外の多糖を含まない、および
コーングルテンミールの量は、該水性組成物の約１ｗｔ％〜約５０ｗｔ％である、水性組成物。
【請求項２】
前記アルコールがエタノール、メタノールまたはイソプロパノールである、請求項１に記載の水性組成物。
【請求項３】
前記塩が、塩化ナトリウム、塩化カリウム、塩化カルシウム、塩化マグネシウム、塩化アンモニウム、臭化ナトリウム、臭化カリウム、臭化カルシウム、臭化マグネシウム、臭化アンモニウム、ヨウ化ナトリウム、ヨウ化カリウム、ヨウ化カルシウム、ヨウ化マグネシウム、ヨウ化アンモニウム、硫酸ナトリウム、硫酸カリウム、硫酸カルシウム、硫酸マグネシウム、硫酸アンモニウムまたはそれらの混合物である、請求項１に記載の水性組成物。
【請求項４】
前記酸が、クエン酸、ギ酸、アスコルビン酸、酢酸、リンゴ酸、アジピン酸、タンニン酸、乳酸、フマル酸またはそれらの混合物である、請求項１に記載の水性組成物。
【請求項５】
前記添加剤がＳ型消石灰である、請求項１に記載の水性組成物。
【請求項６】
水、コーングルテンミールおよび無機塩基を、（ｉ）約１０℃〜約１００℃で約２時間〜約４時間攪拌するか、または（ｉｉ）約１０℃〜約１００℃で約１０分間〜約８時間静置させることにより得られた混合物、
０％〜約１ｗｔ％のアルコール、
０．０１％〜約１ｗｔ％の該無機塩基であって、水酸化ナトリウム、水酸化リチウムまたは水酸化カリウムである無機塩基、
０％〜約１ｗｔ％の塩、
０％〜約１ｗｔ％の酸、
０％〜約１ｗｔ％の添加剤、および
約９０ｗｔ％〜約９９．９ｗｔ％の水
を含む抽出剤であって、ここで、
該抽出剤は、コーングルテンミール中に存在するかまたはそれから誘導されるもの以外の多糖を含まない、
該抽出剤は、水を請求項１に記載の水性組成物に加えることによって調製される、および
コーングルテンミールの量は、該抽出剤の約０．１ｗｔ％〜約２ｗｔ％である、抽出剤。
【請求項７】
前記アルコールがエタノール、メタノールまたはイソプロパノールである、請求項６に記載の抽出剤。
【請求項８】
前記塩が、塩化ナトリウム、塩化カリウム、塩化カルシウム、塩化マグネシウム、塩化アンモニウム、臭化ナトリウム、臭化カリウム、臭化カルシウム、臭化マグネシウム、臭化アンモニウム、ヨウ化ナトリウム、ヨウ化カリウム、ヨウ化カルシウム、ヨウ化マグネシウム、ヨウ化アンモニウム、硫酸ナトリウム、硫酸カリウム、硫酸カルシウム、硫酸マグネシウム、硫酸アンモニウムまたはそれらの混合物である、請求項６に記載の抽出剤。
【請求項９】
前記酸が、クエン酸、ギ酸、アスコルビン酸、酢酸、リンゴ酸、アジピン酸、タンニン酸、乳酸、フマル酸またはそれらの混合物である、請求項６に記載の抽出剤。
【請求項１０】
前記添加剤がＳ型消石灰である、請求項６に記載の抽出剤。
【請求項１１】
請求項１に記載の水性組成物を脱水することによって調製される実質的に無水の組成物であって、０ｗｔ％〜約１０ｗｔ％の水を含む、実質的に無水の組成物。
【請求項１２】
前記アルコールがエタノール、メタノールまたはイソプロパノールである、請求項１１に記載の実質的に無水の組成物。
【請求項１３】
前記塩が、塩化ナトリウム、塩化カリウム、塩化カルシウム、塩化マグネシウム、塩化アンモニウム、臭化ナトリウム、臭化カリウム、臭化カルシウム、臭化マグネシウム、臭化アンモニウム、ヨウ化ナトリウム、ヨウ化カリウム、ヨウ化カルシウム、ヨウ化マグネシウム、ヨウ化アンモニウム、硫酸ナトリウム、硫酸カリウム、硫酸カルシウム、硫酸マグネシウム、硫酸アンモニウムまたはそれらの混合物である、請求項１１に記載の実質的に無水の組成物。
【請求項１４】
前記酸が、クエン酸、ギ酸、アスコルビン酸、酢酸、リンゴ酸、アジピン酸、タンニン酸、乳酸、フマル酸またはそれらの混合物である、請求項１１に記載の実質的に無水の組成物。
【請求項１５】
前記添加剤がＳ型消石灰である、請求項１１に記載の実質的に無水の組成物。
【請求項１６】
基材から炭化水素含有物質を抽出するための方法であって、該基材を、該基材から該炭化水素含有物質の少なくとも一部を抽出するのに効果的な条件下で、請求項１〜５のいずれかに記載の水性組成物と接触させることを含む方法。
【請求項１７】
前記基材が、土壌、砂、木材、岩石、紙、皮膚、水体、砂利、泥、粘土、植物、毛、布、金属、ガラス、磁器、コンクリートまたは死んだ動物である、請求項１６に記載の方法。
【請求項１８】
前記抽出することが、前記基材の表面から前記炭化水素含有物質を取り出すことを含む、請求項１６に記載の方法。
【請求項１９】
前記接触させることを、約５℃〜約５０℃の水性組成物または基材の温度で行う、請求項１６に記載の方法。
【請求項２０】
前記水性組成物または前記基材にかき混ぜを施すことをさらに含む、請求項１６に記載の方法。
【請求項２１】
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、請求項１６に記載の方法。
【請求項２２】
基材から炭化水素含有物質を抽出するための方法であって、該基材を、該基材から該炭化水素含有物質の少なくとも一部を抽出するのに効果的な条件下で、請求項６〜１０のいずれかに記載の抽出剤と接触させることを含む方法。
【請求項２３】
前記基材が、土壌、砂、木材、岩石、紙、皮膚、水体、砂利、泥、粘土、植物、毛、布、金属、ガラス、磁器、コンクリートまたは死んだ動物である、請求項２２に記載の方法。
【請求項２４】
前記抽出することが、前記基材の表面から前記炭化水素含有物質を除去することを含む、請求項２２に記載の方法。
【請求項２５】
前記接触させることを、約５℃〜約５０℃の抽出剤または基材の温度で行う、請求項２２に記載の方法。
【請求項２６】
前記抽出剤または前記基材にかき混ぜを施すことをさらに含む、請求項２２に記載の方法。
【請求項２７】
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、請求項２２に記載の方法。
【請求項２８】
基材を浄化するための方法であって、該基材を、該基材を浄化させるのに効果的な条件下で、請求項１〜５のいずれかに記載の水性組成物と接触させることを含む、方法。
【請求項２９】
前記基材が、土壌、砂、木材、紙、皮膚、水体、砂利、泥、粘土、植物、毛、布、金属、ガラス、磁器、セラミックまたは死んだ動物である、請求項２８に記載の方法。
【請求項３０】
浄化することが、前記基材から炭化水素含有物質を抽出することを含む、請求項２８に記載の方法。
【請求項３１】
前記接触させることを、約５℃〜約５０℃の水性組成物または基材の温度で行う、請求項２８に記載の方法。
【請求項３２】
前記水性組成物または基材にかき混ぜを施すことをさらに含む、請求項２８に記載の方法。
【請求項３３】
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、請求項３０に記載の方法。
【請求項３４】
抽出することが、前記基材の表面から炭化水素含有物質を取り出すことを含む、請求項３０に記載の方法。
【請求項３５】
前記基材を浄化することが、前記基材中の１またはそれより多くの汚染物質を封じ込めすることを含む、請求項２８に記載の方法。
【請求項３６】
基材を浄化するための方法であって、該基材を、該基材を浄化させるのに効果的な条件下で、請求項６〜１０のいずれかに記載の抽出剤と接触させることを含む、方法。
【請求項３７】
前記基材が、土壌、砂、木材、紙、皮膚、水体、砂利、泥、粘土、植物、毛、布、金属、ガラス、磁器、セラミックまたは死んだ動物である、請求項３６に記載の方法。
【請求項３８】
浄化することが、前記基材から炭化水素含有物質を抽出することを含む、請求項３６に記載の方法。
【請求項３９】
前記接触させることを、約５℃〜約５０℃の抽出剤または基材の温度で行う、請求項３６に記載の方法。
【請求項４０】
前記抽出剤または基材にかき混ぜを施すことをさらに含む、請求項３６に記載の方法。
【請求項４１】
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、請求項３８に記載の方法。
【請求項４２】
抽出することが、前記基材の表面から炭化水素含有物質を除去することを含む、請求項３８に記載の方法。
【請求項４３】
前記基材を浄化することが、前記基材中の１またはそれより多くの汚染物質を封じ込めすることを含む、請求項３６に記載の方法。
【請求項４４】
請求項１に記載の水性組成物を含む水圧破砕流体。
【請求項４５】
プロパント、粘度調整剤、放射性トレーサー、ゲル剤、アルコール、洗剤、酸、流体損失添加剤、ガス、分散剤または凝集剤をさらに含む、請求項４４に記載の水圧破砕流体。
【請求項４６】
基材から炭化水素含有物質を抽出するための方法であって、該基材を請求項４４に記載の水圧破砕流体で水圧破砕することを含む方法。
【請求項４７】
請求項６に記載の抽出剤を含む水圧破砕流体。
【請求項４８】
プロパント、粘度調整剤、放射性トレーサー、ゲル剤、アルコール、洗剤、酸、流体損失添加剤、ガス、分散剤または凝集剤をさらに含む、請求項４７に記載の水圧破砕流体。
【請求項４９】
基材から炭化水素含有物質を抽出するための方法であって、該基材を請求項４７に記載の水圧破砕流体で水圧破砕することを含む方法。
【請求項５０】
炭化水素含有材料および請求項１に記載の水性組成物をさらに含む容器中に含まれる微粉を沈殿させる方法であって、該容器の内容物を約４．６以下のｐＨに酸性化することを含む方法。
【請求項５１】
炭化水素含有材料から微粉を分離する方法であって、該炭化水素含有材料、該微粉および請求項１に記載の水性組成物を含む混合物を約４．６以下のｐＨに酸性化することと、該微粉を沈殿させることとを含む方法。
【請求項５２】
前記沈殿した微粉の少なくとも一部を前記混合物から分離することをさらに含む、請求項５１に記載の方法。
【請求項５３】
分離することが、前記混合物を濾過するかまたは遠心分離することを含む、請求項５２に記載の方法。
【請求項５４】
炭化水素含有材料から微粉を分離する方法であって、該炭化水素含有材料、該微粉および請求項６に記載の抽出剤を含む混合物を約４．６以下のｐＨに酸性化することと、該微粉を沈殿させることとを含む方法。
【請求項５５】
前記沈殿した微粉の少なくとも一部を前記混合物から分離することをさらに含む、請求項５４に記載の方法。
【請求項５６】
分離することが、前記混合物を濾過するかまたは遠心分離することを含む、請求項５５に記載の方法。
【請求項５７】
前記混合物が、水、コーングルテンミールおよび前記無機塩基を、（ｉ）約１０℃〜約１００℃で約２時間〜約４時間攪拌すること、および（ｉｉ）約１０℃〜約１００℃で約１０分間〜約８時間静置させることにより得られる、請求項１に記載の水性組成物。
【請求項５８】
前記コーングルテンミールが、前記混合物中に懸濁しているかまたは実質的に溶解している、請求項１に記載の水性組成物。
【請求項５９】
前記混合物が、水、コーングルテンミールおよび前記無機塩基を、（ｉ）約１０℃〜約１００℃で約２時間〜約４時間攪拌すること、および（ｉｉ）約１０℃〜約１００℃で約１０分間〜約８時間静置させることにより得られる、請求項６に記載の抽出剤。
【請求項６０】
前記コーングルテンミールが、前記混合物中に懸濁しているかまたは実質的に溶解している、請求項６に記載の抽出剤。
【手続補正２】
【補正対象書類名】明細書
【補正対象項目名】００３１
【補正方法】変更
【補正の内容】
【００３１】
本発明の水性組成物、抽出剤、実質的に無水の組成物（それぞれ本発明の組成物である）および方法ならびにその利点を、以下の非限定的な詳細説明および実施例でさらに例示する。
特定の実施形態では、例えば以下が提供される：
（項目１）
ａ．約１ｗｔ％〜約５０ｗｔ％の植物性材料、
ｂ．０％〜約２０ｗｔ％の多糖、
ｃ．０％〜約１０ｗｔ％のアルコール、
ｄ．０％〜約１５ｗｔ％の塩基、
ｅ．０％〜約１０ｗｔ％の塩、
ｆ．０％〜約１０ｗｔ％の酸、
ｇ．０％〜約１０ｗｔ％の添加剤、および
ｈ．約１０ｗｔ％〜約９５ｗｔ％の水
を含む水性組成物であって、約９〜約１３のｐＨを有する水性組成物。
（項目２）
前記植物性材料が植物タンパク質を含む、項目１に記載の水性組成物。
（項目３）
前記植物が、トウモロコシ、イネ、コムギ、オオムギ、アマ、ソルガム、ミレット、ライムギ、ライコムギ、フォニオ、ソバ、スペルトコムギ、ワタまたはキノアである、項目１に記載の水性組成物。
（項目４）
前記植物性材料がコーングルテンミールである、項目２に記載の水性組成物。
（項目５）
前記アルコールがエタノール、メタノールまたはイソプロパノールである、項目１に記載の水性組成物。
（項目６）
前記塩基が、水酸化ナトリウム、水酸化リチウムまたは水酸化カリウムである、項目１に記載の水性組成物。
（項目７）
前記塩が、塩化ナトリウム、塩化カリウム、塩化カルシウム、塩化マグネシウム、塩化アンモニウム、臭化ナトリウム、臭化カリウム、臭化カルシウム、臭化マグネシウム、臭化アンモニウム、ヨウ化ナトリウム、ヨウ化カリウム、ヨウ化カルシウム、ヨウ化マグネシウム、ヨウ化アンモニウム、硫酸ナトリウム、硫酸カリウム、硫酸カルシウム、硫酸マグネシウム、硫酸アンモニウムまたはそれらの混合物である、項目１に記載の水性組成物。
（項目８）
前記酸が、クエン酸、ギ酸、アスコルビン酸、酢酸、リンゴ酸、アジピン酸、タンニン酸、乳酸、フマル酸またはそれらの混合物である、項目１に記載の水性組成物。
（項目９）
前記添加剤がＳ型消石灰である、項目１に記載の水性組成物。
（項目１０）
前記組成物が前記植物性材料中に存在するかまたはそれから誘導されるもの以外の多糖を含まず、前記植物性材料がコーングルテンミールであり、前記水性組成物がイソプロパノール、クエン酸、Ｓ型消石灰、水酸化ナトリウムおよび塩化ナトリウムをさらに含む、項目１に記載の水性組成物。
（項目１１）
ａ．約０．１ｗｔ％〜約２ｗｔ％の植物性材料、
ｂ．０％〜約２ｗｔ％の多糖、
ｃ．０％〜約１ｗｔ％のアルコール、
ｄ．０％〜約１０ｗｔ％の塩基、
ｅ．０％〜約１０ｗｔ％の塩、
ｆ．０％〜約１０ｗｔ％の酸、
ｇ．０％〜約１０ｗｔ％の添加剤、および
ｈ．約９０ｗｔ％〜約９９．９ｗｔ％の水
を含む抽出剤。
（項目１２）
前記植物性材料がタンパク質を含む、項目１１に記載の抽出剤。
（項目１３）
前記植物が、トウモロコシ、イネ、コムギ、オオムギ、アマ、ソルガム、ミレット、ライムギ、ライコムギ、フォニオ、ソバ、スペルトコムギ、ワタまたはキノアである、項目１１に記載の抽出剤。
（項目１４）
前記植物性材料がコーングルテンミールである、項目１２に記載の抽出剤。
（項目１５）
前記アルコールがエタノール、メタノールまたはイソプロパノールである、項目１１に記載の抽出剤。
（項目１６）
前記塩基が、水酸化ナトリウム、水酸化リチウムまたは水酸化カリウムである、項目１１に記載の抽出剤。
（項目１７）
前記塩が、塩化ナトリウム、塩化カリウム、塩化カルシウム、塩化マグネシウム、塩化アンモニウム、臭化ナトリウム、臭化カリウム、臭化カルシウム、臭化マグネシウム、臭化アンモニウム、ヨウ化ナトリウム、ヨウ化カリウム、ヨウ化カルシウム、ヨウ化マグネシウム、ヨウ化アンモニウム、硫酸ナトリウム、硫酸カリウム、硫酸カルシウム、硫酸マグネシウム、硫酸アンモニウムまたはそれらの混合物である、項目１１に記載の抽出剤。
（項目１８）
前記酸が、クエン酸、ギ酸、アスコルビン酸、酢酸、リンゴ酸、アジピン酸、タンニン酸、乳酸、フマル酸またはそれらの混合物である、項目１１に記載の抽出剤。
（項目１９）
前記添加剤がＳ型消石灰である、項目１１に記載の抽出剤。
（項目２０）
前記抽出剤のｐＨが約９〜約１３である、項目１１に記載の抽出剤。
（項目２１）
前記植物性材料中に存在するかまたはそれから誘導されるもの以外の多糖を含まず、該植物性材料がコーングルテンミールであり、前記水性組成物がイソプロパノール、クエン酸、Ｓ型消石灰、水酸化ナトリウムおよび塩化ナトリウムをさらに含む、項目１１に記載の抽出剤。
（項目２２）
ａ．約２０ｗｔ％〜約９９．９ｗｔ％の植物性材料、
ｂ．０％〜約２０ｗｔ％の多糖、
ｃ．０％〜約１ｗｔ％のアルコール、
ｄ．０％〜約１５ｗｔ％の塩基、
ｅ．０％〜約１０ｗｔ％の塩、
ｆ．０％〜約１０ｗｔ％の酸、
ｇ．０％〜約１０ｗｔ％の添加剤、および
ｈ．０ｗｔ％〜約１０ｗｔ％の水
を含む実質的に無水の組成物。
（項目２３）
前記植物性材料が植物タンパク質を含む、項目２２に記載の実質的に無水の組成物。
（項目２４）
前記植物が、トウモロコシ、イネ、コムギ、オオムギ、アマ、ソルガム、ミレット、ライムギ、ライコムギ、フォニオ、ソバ、スペルトコムギ、ワタまたはキノアである、請求
項２２に記載の実質的に無水の組成物。
（項目２５）
前記植物性材料がコーングルテンミールである、項目２３に記載の実質的に無水の組成物。
（項目２６）
前記アルコールがエタノール、メタノールまたはイソプロパノールである、項目２２に記載の実質的に無水の組成物。
（項目２７）
前記塩基が、水酸化ナトリウム、水酸化リチウムまたは水酸化カリウムである、項目２２に記載の実質的に無水の組成物。
（項目２８）
前記塩が、塩化ナトリウム、塩化カリウム、塩化カルシウム、塩化マグネシウム、塩化アンモニウム、臭化ナトリウム、臭化カリウム、臭化カルシウム、臭化マグネシウム、臭化アンモニウム、ヨウ化ナトリウム、ヨウ化カリウム、ヨウ化カルシウム、ヨウ化マグネシウム、ヨウ化アンモニウム、硫酸ナトリウム、硫酸カリウム、硫酸カルシウム、硫酸マグネシウム、硫酸アンモニウムまたはそれらの混合物である、項目２２に記載の実質的に無水の組成物。
（項目２９）
前記酸が、クエン酸、ギ酸、アスコルビン酸、酢酸、リンゴ酸、アジピン酸、タンニン酸、乳酸、フマル酸またはそれらの混合物である、項目２２に記載の実質的に無水の組成物。
（項目３０）
前記添加剤がＳ型消石灰である、項目２２に記載の実質的に無水の組成物。
（項目３１）
前記組成物が前記植物性材料中に存在するかまたはそれから誘導されるもの以外の多糖を含まず、前記植物性材料がコーングルテンミールであり、前記水性組成物がイソプロパノール、クエン酸、Ｓ型消石灰、水酸化ナトリウムおよび塩化ナトリウムをさらに含む、項目２２に記載の実質的に無水の組成物。
（項目３２）
基材から炭化水素含有物質を抽出するための方法であって、該基材を、該基材から該炭化水素含有物質の少なくとも一部を抽出するのに効果的な条件下で、項目１〜１０のいずれかに記載の水性組成物と接触させることを含む方法。
（項目３３）
前記基材が、土壌、砂、木材、岩石、紙、皮膚、水体、砂利、泥、粘土、植物、毛、布、金属、ガラス、磁器、コンクリート、生きている動物または死んだ動物である、項目３２に記載の方法。
（項目３４）
前記抽出することが、前記基材の表面から前記炭化水素含有物質を取り出すことを含む、項目３２に記載の方法。
（項目３５）
前記接触させることを、約５℃〜約５０℃の水性組成物または基材の温度で行う、項目３２に記載の方法。
（項目３６）
前記水性組成物または前記基材にかき混ぜを施すことをさらに含む、項目３２に記載の方法。
（項目３７）
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である
、項目３２に記載の方法。
（項目３８）
基材から炭化水素含有物質を抽出するための方法であって、該基材を、該基材から該炭化水素含有物質の少なくとも一部を抽出するのに効果的な条件下で、項目１１〜２０のいずれかに記載の抽出剤と接触させることを含む方法。
（項目３９）
前記基材が、土壌、砂、木材、岩石、紙、皮膚、水体、砂利、泥、粘土、植物、毛、布、金属、ガラス、磁器、コンクリート、生きている動物または死んだ動物である、項目３８に記載の方法。
（項目４０）
前記抽出することが、前記基材の表面から前記炭化水素含有物質を除去することを含む、項目３８に記載の方法。
（項目４１）
前記接触させることを、約５℃〜約５０℃の抽出剤または基材の温度で行う、項目３８に記載の方法。
（項目４２）
前記抽出剤または前記基材にかき混ぜを施すことをさらに含む、項目３８に記載の方法。
（項目４３）
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、項目３８に記載の方法。
（項目４４）
前記基材を、前記基材を浄化させるのに効果的な条件下で、項目１〜１０のいずれかに記載の水性組成物と接触させることを含む、基材を浄化するための方法。
（項目４５）
前記基材が、土壌、砂、木材、紙、皮膚、水体、砂利、泥、粘土、植物、毛、布、金属、ガラス、磁器、セラミック、生きている動物または死んだ動物である、項目４４に記載の方法。
（項目４６）
浄化することが、前記基材から炭化水素含有物質を抽出することを含む、項目４４に記載の方法。
（項目４７）
前記接触させることを、約５℃〜約５０℃の水性組成物または基材の温度で行う、項目４４に記載の方法。
（項目４８）
前記水性組成物または基材にかき混ぜを施すことをさらに含む、項目４４に記載の方法。
（項目４９）
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、項目４４に記載の方法。
（項目５０）
抽出することが、前記基材の表面から炭化水素含有物質を取り出すことを含む、項目４４に記載の方法。
（項目５１）
前記基材を浄化することが、前記基材中の１またはそれより多くの汚染物質を封じ込めすることを含む、項目４４に記載の方法。
（項目５２）
前記基材を、前記基材を浄化させるのに効果的な条件下で、項目１１〜２０のいずれかに記載の抽出剤と接触させることを含む、基材を浄化するための方法。
（項目５３）
前記基材が、土壌、砂、木材、紙、皮膚、水体、砂利、泥、粘土、植物、毛、布、金属、ガラス、磁器、セラミック、生きている動物または死んだ動物である、項目５２に記載の方法。
（項目５４）
浄化することが、前記基材から炭化水素含有物質を抽出することを含む、項目５２に記載の方法。
（項目５５）
前記接触させることを、約５℃〜約５０℃の抽出剤または基材の温度で行う、項目５２に記載の方法。
（項目５６）
前記抽出剤または基材にかき混ぜを施すことをさらに含む、項目５２に記載の方法。
（項目５７）
前記炭化水素含有物質が、グリース、原油、コールタール、スラッジ、ビチューメン、自動車オイル、１またはそれより多くの石油留出物、ディーゼル燃料、暖房用油、ジェット燃料、航空用ガソリン、灯油、クレオソート、コールタールサンド、タールサンド、軽タール油、ビチューメン、スラッジ、油汚染されたスラッジまたはそれらの精製品である、項目５２に記載の方法。
（項目５８）
抽出することが、前記基材の表面から炭化水素含有物質を除去することを含む、項目５２に記載の方法。
（項目５９）
前記基材を浄化することが、前記基材中の１またはそれより多くの汚染物質を封じ込めすることを含む、項目５２に記載の方法。
（項目６０）
項目１に記載の水性組成物を含む水圧破砕流体。
（項目６１）
プロパント、粘度調整剤、放射性トレーサー、ゲル剤、アルコール、洗剤、酸、流体損失添加剤、ガス、分散剤または凝集剤をさらに含む、項目６０に記載の水圧破砕流体。
（項目６２）
基材から炭化水素含有物質を抽出するための方法であって、該基材を項目６０に記載の水圧破砕流体で水圧破砕することを含む方法。
（項目６３）
項目１１に記載の抽出剤を含む水圧破砕流体。
（項目６４）
プロパント、粘度調整剤、放射性トレーサー、ゲル剤、アルコール、洗剤、酸、流体損失添加剤、ガス、分散剤または凝集剤をさらに含む、項目６３に記載の水圧破砕流体。
（項目６５）
基材から炭化水素含有物質を抽出するための方法であって、該基材を項目６３に記載の水圧破砕流体で水圧破砕することを含む方法。
（項目６６）
炭化水素含有材料および項目１に記載の水性組成物をさらに含む容器中に含まれる微粉を沈殿させる方法であって、該容器の内容物を約４．６以下のｐＨに酸性化することを含む方法。
（項目６７）
炭化水素含有材料から微粉を分離する方法であって、該炭化水素含有材料、該微粉および項目１に記載の水性組成物を含む混合物を約４．６以下のｐＨに酸性化することと、前記微粉を沈殿させることとを含む方法。
（項目６８）
前記沈殿した微粉の少なくとも一部を前記混合物から分離することをさらに含む、項目６７に記載の方法。
（項目６９）
分離することが、前記混合物を濾過するかまたは遠心分離することを含む、項目６８に記載の方法。
（項目７０）
炭化水素含有材料から微粉を分離する方法であって、該炭化水素含有材料、該微粉および項目１１に記載の抽出剤を含む混合物を約４．６以下のｐＨに酸性化することと、該微粉を沈殿させることとを含む方法。
（項目７１）
前記沈殿した微粉の少なくとも一部を前記混合物から分離することをさらに含む、項目７０に記載の方法。
（項目７２）
分離することが、前記混合物を濾過するかまたは遠心分離することを含む、項目７１に記載の方法。